(57)【特許請求の範囲】
【請求項１】
透液性表面シートと、不透液性裏面シートと、それら両シートの間に介在する吸液性コアとから構成され、互いに対向する第１胴周り域および第２胴周り域と、それら胴周り域の間に位置する股下域とを備え、前記第１および第２胴周り域の両側縁部各々が互いに連結されて、胴周り開口と一対の脚周り開口とが形成されたパンツ型の使い捨て着用物品において、
前記使い捨て着用物品が、所与面積を有して前記裏面シートの外面に重なるように配置されかつ前記股下域から前記胴周り域へ向って延びる補助シートを備え、該補助シートが、対向する第１及び第２縦方向端縁部と、対向する横方向側縁部とを備え、前記第１縦方向端縁部が、一方の前記胴周り域に位置して胴周り方向へ延び、前記第２縦方向端縁部が他方の前記胴周り域と前記股下域とのいずれか一方に位置して胴周り方向へ延び、
前記補助シートの前記横方向側縁部が、前記胴周り域と前記股下域との両側縁部に沿って前記胴周り方向と交差する方向へ延び、前記裏面シートの外面に固着されていることを特徴とする前記着用物品。
【請求項２】
前記補助シートが、前記股下域の略中央を横切るように前記縦方向端縁部と並行して延びるシール部を介して前記裏面シートの外面に固着され、前記裏面シートと前記補助シートとが、前記胴周り開口へ向って開口するポケットを形成している請求項１記載の着用物品。
【請求項３】
前記補助シートを前記裏面シートの外面に止着するための止着域が、前記補助シートの前記縦方向端縁部に沿って前記胴周り方向へ延びている請求項１または請求項２に記載の着用物品。
【請求項４】
前記胴周り方向へ延びる弾性伸縮性部材が、前記胴周り域に位置する前記縦方向端縁部に伸長状態で取り付けられている請求項１ないし請求項３いずれかに記載の着用物品。
【請求項５】
前記補助シートが、前記胴周り方向へ弾性的な伸縮性を有し、かつ、前記胴周り方向へ伸張させた状態で前記裏面シートの外面に接合されている請求項１ないし請求項３いずれかに記載の着用物品。
【発明の詳細な説明】
【０００１】
【発明の属する技術分野】
本発明は、パンツ型の使い捨て着用物品に関し、より詳しくは、パンツ型の使い捨ておむつやトレーニングパンツ、失禁者用パンツ等の着用物品に関する。
【０００２】
【従来の技術】
特開平１０−２９５７２５号公報は、透液性表面シートと、不透液性裏面シートと、それら両シートの間に介在する吸液性コアとを有し、前後胴周り域の両側縁部が連結されて胴周り開口と一対の脚周り開口とが形成され、前後胴周り域のいずれか一方の裏面シートの外面に補助フラップが取り付けられたパンツ型の使い捨て着用物品を開示している。物品では、補助フラップの両側縁部が前胴周り域の両側縁部に固着され、フラップの上端縁部が前胴周り域における胴周り開口の縁部に固着されて物品の下方へ向って開口するポケットが形成されている。
【０００３】
おむつの廃棄時には、後胴周り域を内側にしておむつを股下域から胴周り開口へ向って縦方向へ丸め、ポケットを裏返すように補助フラップを後胴周り域の側へ折り返し、丸めたおむつを裏返しになったポケットの内側に収納する。
【０００４】
【発明が解決しようとする課題】
同号公報に開示の物品は、物品を丸めることで、ポケットの内側に物品の胴周り開口と脚周り開口とを収納することができる。しかし、物品を丸めるときに物品の内部に排泄された排泄物が胴周り開口や脚周り開口から押し出され、排泄物が胴周り開口や脚周り開口から物品の外部に漏れ出してしまうことがある。
【０００５】
本発明の課題は、物品の廃棄時に物品を丸める必要はなく、物品の胴周り開口と脚周り開口とを収納することができ、それら開口から排泄物の漏出を防ぐことができるパンツ型の使い捨て着用物品を提供することにある。
【０００６】
【課題を解決するための手段】
前述した課題を解決するための本発明は、透液性表面シートと、不透液性裏面シートと、それら両シートの間に介在する吸液性コアとから構成され、互いに対向する第１胴周り域および第２胴周り域と、それら胴周り域の間に位置する股下域とを備え、前記第１および第２胴周り域の両側縁部各々が互いに連結されて、胴周り開口と左右一対の脚周り開口とが形成されたパンツ型の使い捨て着用物品を改良することにある。
【０００７】
改良にかかる本発明の特徴は、使い捨て着用物品が、所与面積を有して前記裏面シートの外面に重なるように配置されかつ前記股下域から前記胴周り域へ向って延びる補助シートを備え、該補助シートが、対向する第１及び第２縦方向端縁部と、対向する横方向側縁部とを備え、前記第１縦方向端縁部が、一方の前記胴周り域に位置して胴周り方向へ延び、前記第２縦方向端縁部が他方の前記胴周り域と前記股下域とのいずれか一方に位置して胴周り方向へ延び、前記補助シートの前記横方向側縁部が、前記胴周り域と前記股下域との両側縁部に沿って前記胴周り方向と交差する方向へ延び、前記裏面シートの外面に固着されていることにある。
【０００８】
本発明の実施の態様の一例としては、前記補助シートが、前記股下域の略中央を横切るように前記第２縦方向端縁部と並行して延びるシール部を介して前記裏面シートの外面に固着され、前記裏面シートと前記補助シートとが、前記胴周り開口へ向って開口するポケットを形成している。
【０００９】
本発明の実施の態様の一例としては、前記補助シートを前記裏面シートの外面に止着するための止着域が、前記補助シートの前記縦方向端縁部に沿って前記胴周り方向へ延びている。
【００１０】
本発明の実施の態様の他の一例としては、前記胴周り方向へ延びる弾性伸縮性部材が、前記縦方向端縁部に伸長状態で取り付けられている。
【００１１】
本発明の実施の態様の他の一例としては、前記補助シートが、前記胴周り方向へ弾性的な伸縮性を有し、かつ、前記胴周り方向へ伸張させた状態で前記裏面シートの外面に接合されている。
【００１２】
【発明の実施の形態】
添付の図面を参照して、本発明に係るパンツ型の使い捨て着用物品の詳細を使い捨ておむつを例として説明すると、以下のとおりである。
【００１３】
図１，２は、前胴周り域２０の側から示す使い捨ておむつ１の部分破断斜視図と、図１のＡ−Ａ線矢視断面図とである。おむつ１は、透液性表面シート２と、不透液性裏面シート３と、表面シート２と裏面シート３との間に介在し、表面全域が透水性のティッシュペーパー（図示せず）に被覆、接合された吸液性コア４とを主要な構成部材とする。コア４は、ティッシュペーパーを介して表面シート２と裏面シート３との少なくとも一方の内面に接合されている。
【００１４】
おむつ１は、縦方向に前胴周り域２０と、後胴周り域２２と、前後胴周り域２０，２２の間に位置する股下域２１とを有する。おむつ１では、前後胴周り域２０，２２の縦方向へ延びる両側縁部１ａが合掌状に重なり合って固着、一体化され、図１の上方へ向って開口する胴周り開口５と、図１の左右へ向って開口する一対の脚周り開口６とが画成されている。
【００１５】
胴周り開口５の縁部には、複数条の胴周り用弾性伸縮性部材１０が表面シート２と裏面シート３との間に介在し、それらシート２，３の少なくとも一方の内面に伸長状態で取り付けられている。脚周り開口６の縁部には、複数条の脚周り用弾性伸縮性部材１１が表面シート２と裏面シート３との間に介在し、それらシート２，３の少なくとも一方の内面に伸長状態で取り付けられている。胴周り開口５と脚周り開口６との縁部は、弾性部材１０，１１の介在下に、それら開口５，６の周り方向へ弾性的な伸縮性を有する。図１では、弾性部材１０，１１各々の伸長状態が解除され、胴周り開口５と脚周り開口６との縁部に沿ってギャザーが形成されている。
【００１６】
おむつ１では、おむつ１の廃棄時に、おむつ１の折り畳まれた状態を保持するための補助シート７が裏面シート３の外面に取り付けられている。補助シート７は、所与面積を有して股下域２１から前胴周り域２０へ向って延びている。補助シート７は、前胴周り域２０の略中央に位置し、前胴周り域２０の両側縁部１ａの間を胴周り方向へ延びる第１縦方向端縁部７ａと、前胴周り域２０と股下域２１との両側縁部１ａに沿って胴周り方向と交差する方向へ延びる横方向側縁部７ｂと、第１縦方向端縁部７ａに対向しかつ股下域２１の略中央を横切るように第１縦方向端縁部７ａと並行して延びる第２縦方向端縁部７ｃとを有する。補助シート７は、股下域２１から前胴周り域２０へ向って延びているが、股下域２１から後胴周り域２２へ向って延びていてもよい。
【００１７】
補助シート７の第１縦方向端縁部７ａには、胴周り方向へ延びる弾性伸縮性部材９が自由端縁部７ａの一部に被覆された状態で伸張下に取り付けられている。補助シート７は、横方向側縁部７ｂと第２縦方向端縁部７ｃとは裏面シート３の外面に固着されている。裏面シート３の外面に固着された第２縦方向端縁部７ｃはシール部として機能する。その結果、補助シート７と裏面シート３とが胴周り開口５へ向って開口するポケットＰを形成している。補助シート７の外面には、補助シート７を裏面シート３の外面に止着するための止着域８が、第１縦方向端縁部７ａに沿って胴周り方向へ延びている。
【００１８】
止着域８は、可撓性のプラスチックシート８ａと、プラスチックシート８ａの外面に塗布された粘着剤８ｂと、粘着剤８ｂを被覆する剥離可能な保護シート８ｃとから形成されている。プラスチックシート８ａは、その内面が弾性部材９の下方における補助シート７の外面に固着されている。
【００１９】
図３（ａ）〜（ｄ）は、図１のおむつ１をポケットに収納する手順を示す模式図であり、図４は、ポケットＰに収納されて廃棄する状態にあるおむつ１の斜視図である。おむつ１の廃棄時では、図３（ａ）の状態にあるおむつ１を、後胴周り域２２が内側になるように二つに折り畳み、後胴周り域２２と股下域２１とを重ね合わせる。おむつ１では、止着域８から保護シート８ｃを剥離させて粘着剤８ｂを露出させてある。
【００２０】
おむつ１は、図３（ｂ）の二つに折り畳まれた状態から、図３（ｃ），（ｄ）に矢印Ｘで示すように、補助シート７の第１縦方向端縁部７ａを股下域２１の方向へ引っ張り、ポケットＰを裏返すように、補助シート７を前胴周り域２０の側へ折り返し、裏返しになったポケットＰの内側におむつ１を収納する。その後、補助シート７の第１縦方向端縁部７ａ近傍を粘着剤８ｂを介して前胴周り域２０の外面に止着する。
【００２１】
ポケットＰの内側に収納されたおむつ１は、図４に示すように、胴周り開口５と脚周り開口６とがポケットＰに納まり、ポケットＰの開口が粘着剤８ｂを介して塞がれている。図４の状態にあるおむつ１は、それが廃棄されたとしても、胴周り開口５と脚周り開口６とがポケットＰから露出することはなく、さらに、ポケットＰの開口が塞がれているので、ポケットＰの開口や胴周り開口５、脚周り開口６から臭気や排泄物が漏れ出すことはない。
【００２２】
おむつ１では、その廃棄時におむつ１を小さく丸める必要はなく、二つに折り畳んだ状態において、おむつ１の胴周り開口５と脚周り開口６とをポケットＰに収納することができるので、おむつ１を丸めることによっておむつ１の内部に排泄された排泄物が胴周り開口５や脚周り開口６から押し出されるという不都合を防ぐことができる。また、おむつ１を二つに折り畳むだけなので、おむつ１を丸めるという手間を省くことができる。但し、おむつ１の廃棄時では、おむつ１を二つに折り畳むことの他に、おむつ１を股下域２１から後胴周り域２２へ向って縦方向へ丸めたり、おむつ１を二つ以上に折り畳んでポケットＰに収納することができることはいうまでもない。
【００２３】
おむつ１では、補助シート７の第１縦方向端縁部７ａに弾性部材９が伸張状態で取り付けられていれば、補助シート７の外面に止着域８を形成しなくてもよい。おむつ１をポケットＰの内側に収納したときに、補助シート７の第１縦方向端縁部７ａが胴周り方向内方へ収縮し、ポケットＰの間口が小さくなるので、おむつ１の胴周り開口５や脚周り開口６がポケットＰの開口から露出してしまうことはない。
【００２４】
図５，６は、前胴周り域２０の側から示す他の実施形態に係るおむつ１の部分破断斜視図と、図５のＢ−Ｂ線矢視断面図とである。おむつ１は、透液性表面シート２と不透液性裏面シート３との間に、ティッシュペーパー（図示せず）に被覆、接合された吸液性コア４が介在し、前後胴周り域２０，２２の両側縁部１ａが合掌状に重なり合って固着、一体化され、胴周り開口５と一対の脚周り開口６とが画成されている点において図１のそれと同一である。
【００２５】
前後胴周り域２０，２２における胴周り開口５の縁部には、複数条の胴周り用弾性部材１０が伸長状態で取り付けられ、脚周り開口６の縁部には、複数条の脚周り用弾性部材１１が伸長状態で取り付けられている。
【００２６】
おむつ１では、おむつ１の廃棄時に、おむつ１の折り畳まれた状態を保持するための補助シート７が裏面シート３の外面に取り付けられている。補助シート７は、所与面積を有し、股下域２１から前胴周り域２０と後胴周り域２２とへ向って延びている。補助シート７は、前胴周り域２０と後胴周り域２２とに位置し、前後胴周り域２０，２２の両側縁部の間を胴周り方向へ延びる第１及び第２縦方向端縁部７ａ，７ａと、前後胴周り域２０，２２と股下域２１との両側縁部１ａに沿って胴周り方向と交差する方向へ延びる横方向側縁部７ｂとを有する。
【００２７】
補助シート７の各縦方向端縁部７ａ，７ａには、胴周り方向へ延びる弾性伸縮性部材９が各縦方向端縁部７ａ，７ａの一部に被覆された状態で伸張下に取り付けられている。補助シート７は、横方向側縁部７ｂが裏面シート３の外面に固着されている。
【００２８】
図７（ａ）〜（ｃ）は、図５のおむつ１に補助シート７を被せる手順を示す模式図である。おむつ１の廃棄時では、図７（ａ）の状態にあるおむつ１を、前胴周り域２０が内側になるように二つに折り畳み、前胴周り域２０と股下域２１とを重ね合わせ、図７（ｂ）に矢印Ｙで示すように、胴周り開口５の縁部を前胴周り域２０の側に位置する補助シート７の第１縦方向端縁部７ａから補助シート７と裏面シート３との間に収納する。
【００２９】
おむつ１は、図７（ｂ）の二つに折り畳まれた状態から、図７（ｃ）に矢印Ｚで示すように、後胴周り域２２の側に延びる補助シート７の第２縦方向端縁部７ａを股下域２１の方向へ引っ張り、補助シート７を裏返すように、補助シート７を前胴周り域２０の側へ折り返し、裏返しになった補助シート７と裏面シート３との間におむつ１を収納する。
【００３０】
補助シート７と裏面シート３との間に収納されたおむつ１は、胴周り開口５と脚周り開口６とが補助シート７と裏面シート３との間に納まって露出することがない。おむつ１は、それが廃棄されたとしても、胴周り開口５や脚周り開口６から臭気や排泄物が漏出することはない。
【００３１】
図５のおむつ１は、前胴周り域２０と股下域２１とを重ね合わせておむつ１を二つ折りにすることの他に、後胴周り域２２と股下域２１とを重ね合わせておむつ１を二つに折り畳み、前胴周り域２０の側に延びる補助シート７の第１縦方向端縁部７ａを股下域２１の方向へ引っ張って補助シート７を前胴周り域２０の側へ折り返し、裏返しになった補助シート７と裏面シート３との間におむつ１を収納することもできる。
【００３２】
図５のおむつ１では、補助シート７が股下域２１の略中央を横切るように第１及び第２縦方向端縁部７ａと並行して延びるシール部を介して裏面シート３の外面に固着されていてもよい。補助シート７がシール部において固着されたおむつ１は、補助シート７と裏面シート３とが股下域２１から前胴周り域２０と後胴周り域２２とへ向って開口する二つのポケットＰを形成する。
【００３３】
表面シート２としては、不織布や開孔プラスチックフィルム等の透液性のシート、好ましくは透液性であって親水性のシートを使用することができる。裏面シート３としては、疎水性不織布、不透液性のプラスチックフィルムまたは疎水性不織布とプラスチックフィルムとのラミネートシート、好ましくは通気不透液性のシートを使用することができる。また、裏面シート３としては、高い耐水性を有するメルトブローン不織布の両シート面を、高い強度を有しかつ柔軟性に富んだスパンボンド不織布のシート面で挟んだ複合不織布（ＳＭＳ不織布）を使用することもできる。
【００３４】
補助シート７としては、不織布、プラスチックフィルムまたは不織布とプラスチックフィルムとのラミネートシートを使用することができる。また、おむつ１の胴周り方向へ弾性的な伸縮性を有する不織布やプラスチックフィルムを使用することもできる。補助シート７に伸縮性の素材を使用した場合は、補助シート７の自由端縁部７ａに取り付けられた弾性部材９を省くことができる。
【００３５】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００３６】
弾性部材９は、天然ゴムや合成ゴムからなるエラストマーであり、その形態として糸状やフィラメント状、フィルム状、帯状のものを使用することができる。
【００３７】
コア４は、フラッフパルプと高吸収性ポリマー粒子との混合物であり、所要の厚みに圧縮されている。シート２，３，７の固着やコア４の接合、弾性部材９，１０，１１の取り付けには、ホットメルト接着剤等の接着剤や粘着剤、または、熱溶着の技術を利用することができる。
【００３８】
裏面シート３が不織布で形成されている場合は、止着域８に粘着剤８ｂを塗布することの他に、フック部材を取り付けることもできる。フック部材が不織布の繊維に引っ掛かることで止着域が裏面シート３の外面に係着される。
【００３９】
この発明は、使い捨ておむつ１の他に、トレーニングパンツ、失禁者用パンツ等でも実施することができる。
【００４０】
【発明の効果】
本発明に係るパンツ型の使い捨て着用物品によれば、物品を二つに折り畳んだ状態でそれを廃棄することができる。ゆえに、物品を小さく丸める必要はないので、物品の内部に排泄された排泄物が胴周り開口や脚周り開口から押し出されるということはなく、排泄物が胴周り開口や脚周り開口から物品の外部に漏れ出してしまうことを防ぐことができる。
【００４１】
物品のうち、補助シートの固定側縁部と固定端縁部（シール部）とが裏面シートの外面に接合されたものは、二つに折り畳んだ物品の胴周り開口と脚周り開口とがポケットの内側に納まって露出することがなく、物品が廃棄されたとしても、胴周り開口や脚周り開口から臭気や排泄物が漏出することはない。また、自由端縁部の外面に止着域が形成されたものは、胴周り開口や脚周り開口のみならず、ポケットの開口も粘着剤を介して塞がれるので、臭気や排泄物の漏れ防止を一層向上させることができる。
【００４２】
物品のうち、補助シートが股下域から前胴周り域と後胴周り域とへ向って延びているものは、二つに折り畳まれた物品の胴周り開口と脚周り開口とが補助シートと裏面シートとの間に納まって露出することがない。物品は、それが廃棄されたとしても、胴周り開口や脚周り開口から臭気や排泄物が漏出することはない。この物品では、前胴周り域と股下域とを重ね合わせるように物品を二つに折り畳み、補助シートと裏面シートとの間に胴周り開口と脚周り開口とを収納して物品を廃棄することができるし、後胴周り域と股下域とを重ね合わせるように物品を二つに折り畳み、補助シートと裏面シートとの間に胴周り開口と脚周り開口とを収納して廃棄することもできる。
【図面の簡単な説明】
【図１】  前胴周り域の側から示す使い捨ておむつの部分破断斜視図。
【図２】  図１のＡ−Ａ線断面図。
【図３】  図１のおむつ１をポケットに収納する手順を示す模式図。
【図４】  ポケットに収納されて廃棄する状態にあるおむつの斜視図。
【図５】  他の実施の形態の前胴周り域の側から示すおむつの部分破断斜視図。
【図６】  図５のＢ−Ｂ線矢視断面図。
【図７】  図５のおむつに補助シートを被せる手順を示す模式図。
【符号の説明】
１              パンツ型の使い捨ておむつ（使い捨て着用物品）
１ａ            両側縁部
２              透液性表面シート
３              不透液性裏面シート
４              吸液性コア
５              胴周り開口
６              脚周り開口
７              補助シート
７ａ            第１及び第２縦方向端縁部
７ｂ            横方向側縁部
７ｃ            第２縦方向端縁部（シール部）
８              止着域
９              弾性伸縮性部材
２０              前胴周り域
２１              股下域
２２              後胴周り域
Ｐ              ポケット
【図１】
0003699328.tif 000002
【図２】
0003699328.tif 000003
【図３】
0003699328.tif 000004
【図４】
0003699328.tif 000005
【図５】
0003699328.tif 000006
【図６】
0003699328.tif 000007
【図７】
0003699328.tif 000008